(57)【要約】  本発明は、マルチウェイスイッチ、無線周波数システム及び無線通信装置を提供する。マルチウェイスイッチは、９つのＴポート及び４つのＰポートを含む。９つのＴポートは、４つのＰポートに全部結合された１つの第一Ｔポートを含む。マルチウェイスイッチは、無線通信装置の無線周波数回路及びアンテナシステムに結合されるように構成される。無線通信装置は、二重周波数単一送信モードで動作可能である。アンテナシステムは、４つのＰポートに対応する４つのアンテナを含む。
2021506171.tif 000002
【特許請求の範囲】
【請求項１】
マルチウェイスイッチ１０であって、
９つのＴポート及び４つのＰポートを含み、前記９つのＴポートは、前記４つのＰポートに全部結合された１つの第一Ｔポートを含み、
前記マルチウェイスイッチは、無線通信装置の無線周波数回路３０及びアンテナシステム２０に結合されるように構成され、
前記無線通信装置は、二重周波数単一送信モードで動作可能であり、
前記アンテナシステムは、前記４つのＰポートに対応する４つのアンテナを含む、
ことを特徴とするマルチウェイスイッチ。
【請求項２】
前記９つのＴポートは８つの第二Ｔポートをさらに含み、前記８つの第二Ｔポートのうちの各第二Ｔポートは４つのＰポートのうちの対応する１つのＰポートに結合され、前記８つの第二Ｔポートは、第一周波数帯域での受信をサポートする４つの第二Ｔポート及び第二周波数帯域での受信をサポートする４つの第二Ｔポートを含み、前記第一周波数帯域と前記第二周波数帯域は重合しなく、
前記第一周波数帯域での受信をサポートする４つの第二Ｔポートは異なるＰポートに結合され、前記第二周波数帯域での受信をサポートする４つの第二Ｔポートは異なるＰポートに結合され、
前記４つのＰポートと前記４つのアンテナは１対１で対応して結合され、
前記第一Ｔポートは、前記第一周波数帯域と前記第二周波数帯域での送信をサポートする、
ことを特徴とする請求項１に記載のマルチウェイスイッチ。
【請求項３】
前記無線周波数回路は、無線周波数トランシーバ３１と、送信回路３２と、８つの受信回路と、を含み、
前記送信回路は、第一周波数帯域での送信をサポートする第一送信経路と、第二周波数帯域での送信をサポートし且つ第一周波数帯域での送信をサポートする第一送信経路と互いに結合される第二送信経路と、を含み、
前記８つの受信回路は、第一周波数帯域での信号処理をサポートする４つの受信回路と、第二周波数帯域での信号処理をサポートする４つの受信回路と、を含む、
ことを特徴とする請求項２に記載のマルチウェイスイッチ。
【請求項４】
前記送信回路及び前記８つの受信回路は、１つの独立回路モジュール４１に統合される、
ことを特徴とする請求項３に記載のマルチウェイスイッチ。
【請求項５】
前記送信回路及び前記８つの受信回路は、２つの独立回路モジュールに統合され、
前記２つの独立回路モジュールは、第一独立回路モジュール５１及び第二独立回路モジュール５２を含み、前記第一独立回路モジュールは少なくとも送信回路を含み、前記第二独立回路モジュールは８つの受信回路のうちの少なくとも２つの受信回路を含む、
ことを特徴とする請求項３に記載のマルチウェイスイッチ。
【請求項６】
前記送信回路及び前記８つの受信回路は、３つの独立回路モジュールに統合され、
前記３つの独立回路モジュールは、第一独立回路モジュール６１、第二独立回路モジュール６２及び第三独立回路モジュール６３を含み、前記第一独立回路モジュールは少なくとも送信回路を含み、前記第二独立回路モジュールは８つの受信回路のうちの少なくとも２つの受信回路を含み、前記第三独立回路モジュールは８つの受信回路のうちの少なくとも２つの受信回路を含む、
ことを特徴とする請求項３に記載のマルチウェイスイッチ。
【請求項７】
前記送信回路及び前記８つの受信回路は、４つの独立回路モジュールに統合され、
前記４つの独立回路モジュールは、第一独立回路モジュール７１、第二独立回路モジュール７２、第三独立回路モジュール７３及び第四独立回路モジュール７４を含み、前記第一独立回路モジュールは少なくとも送信回路を含み、前記第二独立回路モジュールは８つの受信回路のうちの少なくとも２つの受信回路を含み、前記第三独立回路モジュールは８つの受信回路のうちの少なくとも２つの受信回路を含み、前記第四独立回路モジュールは８つの受信回路のうちの少なくとも２つの受信回路を含む、
ことを特徴とする請求項３に記載のマルチウェイスイッチ。
【請求項８】
前記送信回路及び前記８つの受信回路は、５つの独立回路モジュールに統合され、
前記５つの独立回路モジュールは、第一独立回路モジュール８１、第二独立回路モジュール８２、第三独立回路モジュール８３、第四独立回路モジュール８４及び第五独立回路モジュール８５を含み、前記第一独立回路モジュールは送信回路を含み、前記第二独立回路モジュール、前記第三独立回路モジュール、前記第四独立回路モジュール及び前記第五独立回路モジュールは、別々に８つの受信回路のうちの２つの受信回路を含む、
ことを特徴とする請求項３に記載のマルチウェイスイッチ。
【請求項９】
前記送信回路は、第一周波数帯域で動作可能な第一電力増幅器３２０１、第二周波数帯域で動作可能な第二電力増幅器３２０２、前記第一周波数帯域を通過させる第一フィルタ３２０３、前記第二周波数帯域を通過させる第二フィルタ３２０４、カプラー３２０５及びセレクタースイッチ３２０６を含み、
前記第一電力増幅器は、前記無線周波数トランシーバの対応する第一送信ポートに結合された入力ポートと、前記第一フィルタの入力ポートに結合された出力ポートと、を含み、
前記第二電力増幅器は、前記無線周波数トランシーバの対応する第二送信ポートに結合された入力ポートと、前記第二フィルタの入力ポートに結合された出力ポートと、を含み、
前記カプラーは、前記第一フィルターの出力ポートに結合された第一入力ポートと、前記第二フィルターの出力ポートに結合された第二入力ポートと、前記セレクタースイッチの第一固定ポートに結合された第一出力ポートと、前記セレクタスイッチの第二固定ポートに結合された第二出力ポートと、を含み、
前記セレクタスイッチは、前記第一Ｔポートに結合されるセレクタポートを含む、
ことを特徴とする請求項３〜８のいずれか一項に記載のマルチウェイスイッチ。
【請求項１０】
第一周波数帯域の信号処理をサポートする受信回路は、第一周波数帯域で動作可能な第一低雑音増幅器３３３１と、第一周波数帯域を通過させる第一フィルタ３３３２と、を含み、
前記第一フィルタは、前記第一周波数帯域での受信をサポートする４つの第二Ｔポートのうちの対応する１つのＴポートに結合された入力ポートと、前記第一低雑音増幅器の入力ポートに結合された出力ポートと、を含み、
前記第一低雑音増幅器は、前記無線周波数トランシーバの対応する受信ポートに結合された出力ポートを含み、前記受信ポートは第一周波数帯域での受信をサポートし、
第二周波数帯域の信号処理をサポートする受信回路は、第二周波数帯域で動作可能な第二低雑音増幅器３３４１と、前記第二周波数帯域を通過させる第二フィルタ３３４２と、を含み、
前記第二フィルタは、前記第二周波数帯域での受信をサポートする４つの第二Ｔポートのうちの対応する１つのＴポートに結合された入力ポートと、前記第二低雑音増幅器の入力ポートに結合される出力ポートと、を含み、
前記第二低雑音増幅器は、前記無線周波数トランシーバの対応する受信ポートに結合された出力ポートを含み、前記受信ポートは第二周波数帯域での受信をサポートする、
ことを特徴とする請求項３〜８のいずれか一項に記載のマルチウェイスイッチ。
【請求項１１】
前記マルチウェイスイッチは、前記無線通信装置の無線周波数回路及びアンテナシステムに接続されて、前記無線通信装置のプリセット機能を実現するために用いられ、前記プリセット機能は、４つのアンテナによってサウンディングリファレンス信号（ＳＲＳ）を順番に送信する機能である、
ことを特徴とする請求項１〜１０のいずれか一項に記載のマルチウェイスイッチ。
【請求項１２】
前記４つのアンテナは、第一アンテナ、第二アンテナ、第三アンテナ及び第四アンテナを含み、
前記第一アンテナ、前記第二アンテナ、前記第三アンテナ及び前記第四アンテナは、第五世代の新しいラジオ（５Ｇ ＮＲ）周波数帯域をサポートするアンテナである、
ことを特徴とする請求項１〜１１のいずれか一項に記載のマルチウェイスイッチ。
【請求項１３】
前記４つのアンテナは、第一アンテナ、第二アンテナ、第三アンテナ及び第四アンテナを含み、
前記第一アンテナと前記第四アンテナは、長期進化（ＬＴＥ）周波数帯域と第五世代の新しいラジオ（５Ｇ ＮＲ）周波数帯域をサポートするアンテナであり、
前記第二アンテナ及び前記第三アンテナは、５Ｇ ＮＲ周波数帯域のみをサポートするアンテナである、
ことを特徴とする請求項１〜１１のいずれか一項に記載のマルチウェイスイッチ。
【請求項１４】
無線周波数システムであって、
アンテナシステムと、無線周波数回路と、請求項１〜１３のいずれか一項に記載のマルチウェイスイッチと、を含む、
ことを特徴とする無線周波数システム。
【請求項１５】
無線通信装置であって、
アンテナシステムと、無線周波数送信機と、前記無線周波数送信機に結合された無線周波数回路と、請求項１〜１３のいずれか一項に記載のマルチウェイスイッチと、を含む、
ことを特徴とする無線通信装置。
【発明の詳細な説明】
【技術分野】
【０００１】
本発明は、移動端末の技術分野に関し、さらに具体的に、マルチウェイスイッチ、無線周波数システム及び無線通信装置に関する。
【背景技術】
【０００２】
スマートフォンなどの電子製品が広く使用されることに伴って、スマートフォンがサポートすることができるアプリケーションはだんだん多くなり、且つ機能も強力になっている。スマートフォンは、多様化、パーソナライズされた方向に向かって発展し、ユーザーの生活に不可欠な電子製品になっている。第四世代（ｔｈｅ  ４ｔｈ  Ｇｅｎｅｒａｔｉｏｎ，４Ｇ）の移動通信システムにおいて、電子装置は一般的にシングルアンテナ又はデュアルアンテナの無線周波数（ＲＦ）システムアーキテクチャを採用している。現在、第五世代（ｔｈｅ  ５ｔｈ  Ｇｅｎｅｒａｔｉｏｎ，５Ｇ）の移動通信システムの新しいラジオ（Ｎｅｗ  Ｒａｄｉｏ，ＮＲ）システムにおいて、４アンテナ無線周波数システムアーキテクチャをサポートする電子装置が提案されている。
【発明の概要】
【０００３】
本発明の実施形態は、マルチウェイスイッチ、無線周波数システム及び無線通信装置を提供して、第五世代の新しいラジオ（５Ｇ ＮＲ）において、無線通信装置の４つのポートに対応する４つのアンテナによってサウンディングリファレンス信号（ｓｏｕｎｄｉｎｇ  ｒｅｆｅｒｅｎｃｅ  ｓｉｇｎａｌｓ、ＳＲＳ）を順番に送信する機能（即ち、４ポートＳＲＳ）を実現する。
【０００４】
第一態様において、本発明の実施形態は、マルチウェイスイッチを提供する。マルチウェイスイッチは、９つのＴポート及び４つのＰポートを含む。９つのＴポートは、４つのＰポートに全部結合された１つの第一Ｔポートを含む。マルチウェイスイッチは、無線通信装置の無線周波数回路及びアンテナシステムに結合されるように構成される。無線通信装置は、二重周波数単一送信モード（ｄｕａｌ-ｆｒｅｑｕｅｎｃｙ ｓｉｎｇｌｅ-ｔｒａｎｓｍｉｔ ｍｏｄｅ）で動作可能である。アンテナシステムは、４つのＰポートに対応する４つのアンテナを含む。
【０００５】
第二態様において、本発明の実施形態は、無線周波数システムを提供する。無線周波数システムは、アンテナシステムと、無線周波数回路と、無線通信装置の無線周波数回路及びアンテナシステムに結合されたマルチウェイスイッチと、を含む。マルチウェイスイッチは、９つのＴポート及び４つのＰポートを含む。９つのＴポートは１つの第一Ｔポート及び８つの第二Ｔポートを含み、第一Ｔポートは４つのＰポートに全部結合され、各々の第二Ｔポートは４つのＰポートのうちの対応する１つのＰポートに結合される。無線通信装置は、二重周波数単一送信モードで動作可能である。アンテナシステムは、４つのＰポートに対応する４つのアンテナを含む。マルチウェイスイッチは、プリセット機能を実現するために用いられる。プリセット機能は、４つのアンテナによってサウンディングリファレンス信号（ＳＲＳ）を順番に送信する機能である。
【０００６】
第三態様において、本発明の実施形態は、無線通信装置を提供する。無線通信装置は、アンテナシステムと、無線周波数送信機（ｒａｄｉｏ  ｆｒｅｑｕｅｎｃｙ  ｔｒａｎｓｍｉｔｔｅｒ）と、無線周波数送信機に結合された無線周波数回路と、無線周波数回路及びアンテナシステムに結合されたマルチウェイスイッチと、を含む。マルチウェイスイッチは、９つのＴポート及び４つのＰポートを含む。９つのＴポートは、４つのＰポートに全部結合された１つの第一Ｔポートを含む。無線通信装置は、二重周波数単一送信モードで動作可能である。アンテナシステムは、４つのＰポートに対応する４つのアンテナを含む。マルチウェイスイッチは、プリセット機能を実現するために用いられる。プリセット機能は、４つのアンテナによってＳＲＳを順番に送信する機能である。
【０００７】
本発明の実施例において、無線通信装置は、アンテナシステムと、無線周波数回路と、マルチウェイスイッチと、を含む。無線通信装置は、二重周波数単一送信モードで動作可能である。アンテナシステムは、４つのアンテナを含む。マルチウェイスイッチは、９つのＴポート及び４つのＰポートを含む。マルチウェイスイッチは、無線周波数回路及びアンテナシステムに結合されて、４つのＰポートに対応する４つのアンテナによってＳＲＳを順番に送信するプリセット機能を実現する。
【図面の簡単な説明】
【０００８】
以下、本発明の実施形態又は従来の技術の技術方案をより明確に説明するために、本発明の実施形態又は従来の技術の説明に使用される図面について簡単に説明する。明らかに、以下説明される図面は、本発明の一部の実施形態だけのものであり、当業者であれば、これらの図面から創造的な努力なしに他の図面を得ることができる。
【図１】図１は、本発明の実施形態に係わるマルチウェイスイッチの構造を示す概略図である。
【図２】図２は、本発明の実施形態に係わる４Ｐ９Ｔスイッチの構造を示す概略図である。
【図３Ａ】図３Ａは、本発明の実施形態に係わる全てのＴポートが４つのＰポートに全部結合された４Ｐ９Ｔスイッチの構造を示す概略図である。
【図３Ｂ】図３Ｂは、本発明の実施形態に係わる簡略化された４Ｐ９Ｔスイッチの構造を示す概略図である。
【図４】図４は、本発明の実施形態に係わる無線周波数回路の構造を示す概略図である。
【図５】図５は、本発明の実施形態に係わる送信回路の構造を示す概略図である。
【図６】図６は、本発明の実施形態に係わる受信回路の構造を示す概略図である。
【図７】図７は、本発明の実施形態に係わる独立回路モジュールに統合された無線周波数回路の構造を示す概略図である。
【図８】図８は、本発明の別の実施形態に係わる独立回路モジュールに統合された無線周波数回路の構造を示す概略図である。
【図９】図９は、本発明のさらに別の実施形態に係わる独立回路モジュールに統合された無線周波数回路の構造を示す概略図である。
【図１０】図１０は、本発明のさらに別の実施形態に係わる独立回路モジュールに統合された無線周波数回路の構造を示す概略図である。
【図１１】図１１は、本発明のさらに別の実施形態に係わる独立回路モジュールに統合された無線周波数回路の構造を示す概略図である。
【図１２】図１２は、本発明の実施形態に係わる電子装置のアンテナシステムの構造を示す概略図である。
【図１３】図１３は、本発明の実施形態に係わる電子装置の別のアンテナシステムの構造を示す概略図である。
【図１４】図１４は、本発明の実施形態に係わる無線周波数システムの構造を示す概略図である。
【図１５】図１５は、本発明の実施形態に係わる電子装置の構造を示す概略図である。
【図１６】図１６は、本発明の実施形態に係わる無線通信装置のアンテナを再利用するための無線充電受信機を示す概略図である。
【図１７】図１７は、本発明の実施形態に係わる４つのアンテナを含むループアレイアンテナの構造を示す概略図である。
【発明を実施するための形態】
【０００９】
以下、本発明の実施形態の添付の図面を参照しながら、本発明の実施形態の技術的方案を明確且つ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に属する。
【００１０】
本願の明細書、特許請求の範囲及び図面で使用される用語「第一」、「第二」などは、特定の順序を説明するために用いられなく、異なる対象を区別するために用いられる。用語「含む」、「有する」及びそれらの変形は、非排他的包含を網羅することを意図する。例えば、一連のステップ又はユニットを含むプロセス、システム、製品、又は装置は、リストされたステップ又はユニットに限定されず、選択的に、リストされていない他のステップ又はユニットを含むことができ、又は、選択的に、これらのプロセス、製品、又はデバイスに固有する他のステップ又はユニットを含むことができる。
【００１１】
本明細書で言及される「実施例」又は「実施形態」という用語は、実施形態に関連して説明される特定の特徴、構造、又は特性が本願の少なくとも１つの実施形態に含まれ得ることを意味する。本明細書の各々の場所に現れるこの用語は、必ず同じ実施形態を指すものではなく、他の実施形態と相互に排他的な独立した又は代替実施形態を指すものでもない。本明細書に記載された実施形態は他の実施形態と組み合わせることができることは、当業者によって明示的及び暗黙的に理解される。
【００１２】
本発明の実施形態に係わる無線通信装置は、電子装置又はネットワーク装置のうちの少なくとも１つを含むことができる。電子装置は、様々な無線通信機能を有するハンドヘルドデバイス、車載デバイス、ウェアラブルデバイス、コンピューティングデバイス又はワイヤレスモデムに接続された他の処理デバイス、及び様々な形態のユーザ装置（Ｕｓｅｒ Ｅｑｕｉｐｍｅｎｔ，ＵＥ）（携帯電話など）、モバイルステーション（Ｍｏｂｉｌｅ Ｓｔａｔｉｏｎ，ＭＳ）、端末装置（ｔｅｒｍｉｎａｌ ｄｅｖｉｃｅ）などを含むことができる。便利に説明するために、上記のデバイスを総称して電子装置と呼ぶ。ネットワーク装置は、基地局、アクセスポイントなどを含むことができる。
【００１３】
本明細書で言及される用語は下記のとおりである。
【００１４】
二重周波数単一送信モード（ｄｕａｌ-ｆｒｅｑｕｅｎｃｙ ｓｉｎｇｌｅ-ｔｒａｎｓｍｉｔ ｍｏｄｅ）：無線通信装置が二重周波数帯域−１アップリンク送信経路（ｄｕａｌ ｆｒｅｑｕｅｎｃｙ ｂａｎｄ−ｏｎｅ ｕｐｌｉｎｋ ｔｒａｎｓｍｉｔ ｐａｔｈ）又は二重周波数帯域−４ダウンリンク受信経路（ｄｕａｌ ｆｒｅｑｕｅｎｃｙ ｂａｎｄ−ｆｏｕｒ ｄｏｗｎｌｉｎｋ ｒｅｃｅｉｖｅ ｐａｔｈ）をサポートできる動作モードを指す。
【００１５】
以下の実施形態では、無線通信装置について、電子装置を例として説明する。
【００１６】
現在、携帯電話の４つのアンテナを切り替えてサウンディングリファレンス信号（ｓｏｕｎｄｉｎｇ ｒｅｆｅｒｅｎｃｅ ｓｉｇｎａｌｓ、ＳＲＳ）を送信する機能は、中国移動通信グループ（Ｃｈｉｎａ Ｍｏｂｉｌｅ Ｃｏｍｍｕｎｉｃａｔｉｏｎｓ Ｇｒｏｕｐ Ｃｏ．，Ｌｔｄ，ＣＭＣＣ）が「中国移動５Ｇ規模試験技術白書−端末」における必須オプションであり、第三世代パートナーシッププロジェクト（３ｒｄ Ｇｅｎｅｒａｔｉｏｎ Ｐａｒｔｎｅｒｓｈｉｐ Ｐｒｏｊｅｃｔ，３ＧＰＰ）ではオプションであり、ＳＲＳの主な目的は、基地局が携帯電話の４つのアンテナのアップリンク信号を測定することにより、４つのチャネルの品質とパラメータを確認し、チャネルの相互関係に応じて４つのチャネルに対してダウンリンク大規模多入力多出力（Ｍｕｌｔｉｐｌｅ−Ｉｎｐｕｔ Ｍｕｌｔｉｐｌｅ−Ｏｕｔｐｕｔ，ＭＩＭＯ）アンテナアレイのビームフォーミングを実行して、最後にダウンリンク４×４ＭＩＭＯが最適なデータ伝送性能を獲得するようにすることである。４×４ＭＩＭＯとは、基地局がデータを送信する４つのアンテナを有し、端末装置がデータを受信する４つのアンテナを有することをいう。
【００１７】
４つのアンテナを切り替えてＳＲＳを送信する要件を満たすために、３Ｐ３Ｔ/ＤＰＤＴ/マルチウェイ小型スイッチスイッチングスキームと比較すると、本発明の実施形態によって提供された簡略化された４Ｐ９Ｔアンテナスイッチに基づく無線周波数アーキテクチャは、各経路の直列スイッチの数を減らすことができ（全部又は一部のスイッチを４Ｐ９Ｔスイッチに統合する）、リンク損失を減らして、端末装置全体の送信及び受信性能を最適化する。以下、本発明の実施形態を詳細に説明する。
【００１８】
図１は、本発明の実施形態に係わるマルチウェイスイッチの構造を示す概略図である。マルチウェイスイッチ１０は、アンテナシステム２０及び無線周波数回路３０を含む電子装置１００に適用可能であり、電子装置１００は二重周波数単一送信モードで動作可能であり、アンテナシステム２０は４つのアンテナを含む。マルチウェイスイッチ１０は、９つのＴポート及び４つのＰポートを含む。９つのＴポートは、４つのＰポートに全部結合された１つの第一Ｔポートを含む。
【００１９】
マルチウェイスイッチ１０は、無線周波数回路３０及びアンテナシステム２０に結合されて、電子装置１００のプリセット機能を実現するために用いられる。プリセット機能は、４つのＰポートに対応する４つのアンテナによってサウンディングリファレンス信号（ＳＲＳ）を順番に送信する機能である。
【００２０】
アンテナとは、４つのアンテナのうち、送信機能（即ち、信号送信機能である）をサポートするアンテナをいう。本発明の実施形態における４つのアンテナは、送信機能をサポートすることができる。
【００２１】
電子装置は、第五世代の新しいラジオ（５Ｇ ＮＲ）をサポートする携帯電話又は他の端末装置であることができ、例えば、ＣＰＥ（Ｃｕｓｔｏｍｅｒ  Ｐｒｅｍｉｓｅ  Ｅｑｕｉｐｍｅｎｔ）又はＭＩＦＩ（Ｍｏｂｉｌｅ  Ｗｉｆｉ）である。
【００２２】
本発明の「Ｐポート」は、「極ポート（ｐｏｌｅ  ｐｏｒｔ）」の略語であり、マルチウェイスイッチ１０のアンテナに結合された（ｃｏｕｐｌｅｄ）ポートを指す。本発明の「Ｔポート」は、「スローポート（ｔｈｒｏｗ  ｐｏｒｔ）」の略語であり、マルチウェイスイッチ１０の無線周波数回路３０に結合されたポートを指す。本発明の実施形態では、４つのＰポート及び９つのＴポートを有する。マルチウェイスイッチの構造を容易に理解するために、本発明の実施形態に係わるマルチウェイスイッチ１０を「４Ｐ９Ｔスイッチ」と呼ぶこともできる。具体的には、図３Ａに示されたように、Ｔポート１は第一水平線を介して右へ延在され且つ実点aで第一垂直線と交差し、実点aを介して、Ｔポート１は別々にＰポート１、Ｐポート２、Ｐポート３及びＰポート４に結合される。対応して、Ｔポート２は第二水平線を介して右へ延在され且つ実点ｂで第九垂直線と交差し、実点ｂを介して、Ｔポート２は別々にＰポート１、Ｐポート２、Ｐポート３及びＰポート４に結合される。Ｔポート３は第三水平線を介して右へ延在され且つ実点ｃで第八垂直線と交差し、実点ｃを介して、Ｔポート３は別々にＰポート１、Ｐポート２、Ｐポート３及びＰポート４に結合される。Ｔポート４は第四水平線を介して右へ延在され且つ実点ｄで第七垂直線と交差し、実点ｄを介して、Ｔポート４は別々にＰポート１、Ｐポート２、Ｐポート３及びＰポート４に結合される。Ｔポート５は第五水平線を介して右へ延在され且つ実点ｅで第六垂直線と交差し、実点ｅを介して、Ｔポート５は別々にＰポート１、Ｐポート２、Ｐポート３及びＰポート４に結合される。Ｔポート６は第六水平線を介して右へ延在され且つ実点ｆで第五垂直線と交差し、実点ｆを介して、Ｔポート６は別々にＰポート１、Ｐポート２、Ｐポート３及びＰポート４に結合される。Ｔポート７は第七水平線を介して右へ延在され且つ実点ｇで第四垂直線と交差し、実点ｇを介して、Ｔポート７は別々にＰポート１、Ｐポート２、Ｐポート３及びＰポート４に結合される。Ｔポート８は第八水平線を介して右へ延在され且つ実点ｈで第三垂直線と交差し、実点ｈを介して、Ｔポート８は別々にＰポート１、Ｐポート２、Ｐポート３及びＰポート４に結合される。Ｔポート９は第九水平線を介して右へ延在され且つ実点ｉで第二垂直線と交差し、実点ｉを介して、Ｔポート９は別々にＰポート１、Ｐポート２、Ｐポート３及びＰポート４に結合される。図３Ｂに示されたように、Ｔポート１は第一水平線を介して右へ延在され且つ実点aで第一垂直線と交差し、実点aを介して、Ｔポート１は別々にＰポート１、Ｐポート２、Ｐポート３及びＰポート４に結合される。本発明の実施例において、Ｔポートは４つのＰポートに全部結合され、これは、ＴポートがすべてのＰポートに結合されることを意味する。例えば、第一Ｔポートは全部結合されたポートである。つまり、第一Ｔポートは４つのＰポートに全て結合される。
【００２３】
「４つのＰポートに対応する４つのアンテナによってサウンディングリファレンス信号（ＳＲＳ）を順番に送信する」とは、電子装置１００はポーリングメカニズムに基づいて基地局と対話して各アンテナに対応するアップリンクチャネルの品質を確定する過程を示す。
【００２４】
本発明の実施形態に係わるマルチウェイスイッチによって、電子装置１００はデュアル周波数デュアル送信モードで動作可能である。５ＧＮＲで４ポートＳＲＳスイッチングをサポートする電子装置１００のＲＦアーキテクチャを簡素化することに有利であり、送信経路と受信経路のスイッチの数を減らし、経路損失を減らすことにより、送信電力/感度を向上させ、５ＧＮＲのデータ伝送速度を改善し、携帯電話のアップリンク及びダウンリンクのカバレッジを改善し、消費電力を削減する。
【００２５】
１つの実施形態において、上述した９つのＴポートは８つの第二Ｔポートをさらに含み、８つの第二Ｔポートのうちの各第二Ｔポートは４つのＰポートのうちの対応する１つのＰポートに結合される。８つの第二Ｔポートは、第一周波数帯域での受信をサポートする４つの第二Ｔポート及び第二周波数帯域での受信をサポートする４つの第二Ｔポートを含み、第一周波数帯域と第二周波数帯域は重合しない。第一周波数帯域での受信をサポートする４つの第二Ｔポートは異なるＰポートに結合され、第二周波数帯域での受信をサポートする４つの第二Ｔポートは異なるＰポートに結合される。４つのＰポートと４つのアンテナは１対１で対応して結合される。第一Ｔポートは、第一周波数帯域と第二周波数帯域での送信をサポートする。
【００２６】
本開示の実施形態において、Ｔポートは、それぞれ４つのＰポートのうちの対応する１つのＰポートに結合される。即ち、Ｔポートは、４つのＰポートのうちの対応する１つのＰポートのみに結合される。本開示の実施形態において、８つの第二Ｔポートは、全て単独に結合されたポートであり、即ち、８つの第二Ｔポートのうちの各第二Ｔポートは、４つのＰポートのうちの対応する１つのＰポートに結合される。
【００２７】
第一周波数帯域及び第二周波数帯域は、全て５Ｇ ＮＲをサポートする周波数帯域である。簡単に説明するために、「ＮＲ帯域Ｎｘ」は、５Ｇ ＮＲにおいて電子装置１００がサポートする第一周波数帯域を表す。「ＮＲ帯域Ｎｙ」は、５Ｇ ＮＲにおいて電子装置１００がサポートする第二周波数帯域を表す。例えば、第一周波数帯域の範囲は３．３ＧＨｚ〜３．８ＧＨｚであり、第二周波数帯域範囲は４．４ＧＨｚ〜５ＧＨｚであり、又は、第一周波数帯域範囲は４．４ＧＨｚ〜５ＧＨｚであり、第二周波数帯域範囲は３．３ＧＨｚ〜３．８ＧＨｚである。
【００２８】
本発明の実施形態において、９つのＴポートは、２つのタイプのポートを含む。第一Ｔポートを第一タイプのポートとして定義し、８つの第二Ｔポートを第二タイプのポートとして定義する。第一Ｔポートは、全部結合されたポートであり、第一周波数帯域（ＮＲ  Ｂａｎｄ  Ｎｘ）と第二周波数帯域（ＮＲ  Ｂａｎｄ  Ｎｙ）での送信をサポートするポートである。８つの第二Ｔポートは、単独に結合されたポートであり、ＮＲ  Ｂａｎｄ  Ｎｘ又はＮＲ  Ｂａｎｄ  Ｎｙでの受信をサポートする。図２は、本発明の実施形態に係わる４Ｐ９Ｔスイッチの構造を示す概略図である。図２に示されたように、第一Ｔポートは、「ＮＲ  Ｂａｎｄ  Ｎｘ＋Ｎｙ  ＴＸ１」ポートである。「ＮＲ  Ｂａｎｄ  Ｎｘ＋Ｎｙ  ＴＸ１」ポートは、ＮＲ  Ｂａｎｄ  Ｎｘ及びＮＲ  Ｂａｎｄ  Ｎｙでの無線周波数信号の送信をサポートする。８つの第二Ｔポートは、「ＮＲ  Ｂａｎｄ  Ｎｘ  ＲＸ１」ポート、「ＮＲ  Ｂａｎｄ  Ｎｙ  ＲＸ１」ポート、「ＮＲ  Ｂａｎｄ  Ｎｘ  ＲＸ２」ポート、「ＮＲ  Ｂａｎｄ  Ｎｙ  ＲＸ２」ポート、「ＮＲ  Ｂａｎｄ  Ｎｘ  ＲＸ３」ポート、「ＮＲ  Ｂａｎｄ  Ｎｙ  ＲＸ３」ポート、「ＮＲ  Ｂａｎｄ  Ｎｘ  ＲＸ４」ポート、「ＮＲ  Ｂａｎｄ  Ｎｙ  ＲＸ４」ポートである。４つのＰポートは、Ｐ１ポート、Ｐ２ポート、Ｐ３ポート及びＰ４ポートである。「ＮＲ  Ｂａｎｄ  Ｎｘ＋Ｎｙ  ＴＸ１」ポートは、Ｐ１ポート、Ｐ２ポート、Ｐ３ポート及びＰ４ポートに結合される。「ＮＲ  Ｂａｎｄ  Ｎｘ  ＲＸ１」ポート、「ＮＲ  Ｂａｎｄ  Ｎｘ  ＲＸ２」ポート、「ＮＲ  Ｂａｎｄ  Ｎｘ  ＲＸ３」ポート及び「ＮＲ  Ｂａｎｄ  Ｎｘ  ＲＸ４」ポートは、ＮＲ  Ｂａｎｄ  Ｎｘでの受信をサポートするポートである。「ＮＲ  Ｂａｎｄ  Ｎｙ  ＲＸ１」ポート、「ＮＲ  Ｂａｎｄ  Ｎｙ  ＲＸ２」ポート、「ＮＲ  Ｂａｎｄ  Ｎｙ  ＲＸ３」ポート及び「ＮＲ  Ｂａｎｄ  Ｎｙ  ＲＸ４」ポートは、ＮＲ  Ｂａｎｄ  Ｎｙでの受信をサポートするポートである。同一チャネル干渉を回避するために、ＮＲ  Ｂａｎｄ  Ｎｘでの受信をサポートする４つの第二Ｔポートは異なるＰポートに結合され、ＮＲ  Ｂａｎｄ  Ｎｙでの受信をサポートする４つの第二Ｔポートは異なるＰポートに結合される。図２に示されたように、「ＮＲ  Ｂａｎｄ  Ｎｘ  ＲＸ１」ポート及び「ＮＲ  Ｂａｎｄ  Ｎｙ  ＲＸ１」ポートはＰ１ポートに結合され、「ＮＲ  Ｂａｎｄ  Ｎｘ  ＲＸ２」ポート及び「ＮＲ  Ｂａｎｄ  Ｎｙ  ＲＸ２」ポートはＰ２ポートに結合され、「ＮＲ  Ｂａｎｄ  Ｎｘ  ＲＸ３」ポート及び「ＮＲ  Ｂａｎｄ  Ｎｙ  ＲＸ３」ポートはＰ３ポートに結合され、「ＮＲ  Ｂａｎｄ  Ｎｘ  ＲＸ４」ポート及び「ＮＲ  Ｂａｎｄ  Ｎｙ  ＲＸ４」ポートはＰ４ポートに結合される。なお、図２に示された第二ＴポートとＰポートの結合態様はただ１つの可能な例示であり、「ＮＲ  Ｂａｎｄ  Ｎｘでの受信をサポートする４つの第二Ｔポートは異なるＰポートに結合され、ＮＲ  Ｂａｎｄ  Ｎｙでの受信をサポートする４つの第二Ｔポートは異なるＰポートに結合される」との条件を満たすかぎり、他の結合方式を採用することができる。
【００２９】
本発明の実施形態で説明するマルチウェイスイッチ１０のＴポートとＰポートの間の結合（ｃｏｕｐｌｉｎｇ）、単独結合（ｉｎｄｉｖｉｄｕａｌｌｙ ｃｏｕｐｌｅｄ）、全部結合（ｆｕｌｌｙ ｃｏｕｐｌｅｄ）、又は他の種類の結合の概念は、Ｔポートが第一スイッチトランジスタによってＰポートに結合されることを指す。第一スイッチトランジスタは、ＴポートとＰポートとの間の単方向伝導（ＴポートからＰポートへの単方向伝導及びＰポートからＴポートへの単方向伝導を含む）を制御するために用いられる。第一スイッチトランジスタは、例えば、３つの電界効果トランジスタ（例えば、金属酸化物半導体（ＭＯＳ）トランジスタ）を含むスイッチアレイであることができる。第一スイッチトランジスタが切断され且つ接地されていない場合、寄生パラメータ（寄生容量や寄生インダクタンスなど）は、接続されている他のポートの性能に影響を与える。従って、第一スイッチトランジスタは３つのＭＯＳトランジスタで構成される。第一スイッチトランジスタが切断されると、両側のＭＯＳトランジスタが切断され、中央の１つのＭＯＳトランジスタが接地される。マルチウェイスイッチ１０は、ＴポートとＰポートとの間の第一スイッチトランジスタに加えて、Ｔポート側及びＰポート側の第二スイッチトランジスタをさらに含む。第二スイッチトランジスタは、接地スイッチトランジスタと呼ぶこともできる。各Ｔポートに接地スイッチトランジスタを設置することができ、各Ｐポートにも接地スイッチトランジスタを設置することができる。Ｔポート又はＰポートが信号を送信及び受信しない場合、それに設置されている接地スイッチトランジスタ（即ち、第二スイッチトランジスタ）はオンになる。Ｔポート又はＰポートが信号を受信又は送信すると、それに設置されている接地スイッチトランジスタはオフになる。第二スイッチトランジスタは、対応するポート（Ｔポート又はＰポート）を有効にするために用いられる。第二スイッチトランジスタは、例えば、ＭＯＳトランジスタであることができる。ここで、第一スイッチトランジスタ及び第二スイッチトランジスタの具体的な形態は限定されない。１つの実施形態において、電子装置１００は、第一スイッチトランジスタによって、ＴポートとＰポートとの間の経路の伝導を制御することができる。１つの実施形態において、電子装置１００は、マルチウェイスイッチ１０のスイッチトランジスタに結合される専用のコントローラを設置することができる。
【００３０】
９つのＴポートのうちの１つのＴポートは４つのＰポートと全部結合され、他のＴポートは１つのアンテナのみに固定的に結合されて、受信するために用いられるので、４Ｐ９Ｔスイッチの内蔵電界効果トランジスタ（ＦＥＴ）の数量、体積及びコストを削減でき、性能を向上させる。以下、詳細に説明する。
【００３１】
マルチウェイスイッチは、電界効果トランジスタを含む。例えば、９つのＴポートのうつの各Ｔポートがすべて４つのＰポートに完全結合されると、 図３Ａに示されたマルチウェイスイッチの構造を示す概略図のように、マルチウェイスイッチの電界効果トランジスタの数量は、９＋９＊４＊３＋４＝１２１である。本実施形態において、９つのＴポートのうちの１つのＴポートだけが４つのＰポートに全部結合され、図３Ｂに示されたマルチウェイスイッチの構造を示す概略図のように、マルチウェイスイッチの電界効果トランジスタの数量は、９＋（１＊４＋（９−１）＊１）＊３＋４＝４９である。明らかに、本発明の実施形態によると、４Ｐ９Ｔスイッチの内蔵ＦＥＴの数量、体積及びコストを低減でき、性能を向上させる。
【００３２】
図４は、本発明の実施形態に係わる無線周波数回路の構造を示す概略図である。図４に示されたように、無線周波数回路３０は、無線周波数トランシーバ３１と、送信回路３２（信号を送信及び/又は処理するために用いられる回路であると理解することができる）と、８つの受信回路（信号を受信及び/又は処理するために用いられる回路であると理解することができる）と、を含む。本発明において、「信号を送信、受信、及び/又は処理する」は、「信号を送信、受信又は処理する」又は「信号を送信、受信及び処理する」を意味し、「信号を受信及び/又は処理する」は、「信号を受信又は処理する」又は「信号を受信及び処理する」を意味することに留意されたい。送信回路３２は、第一周波数帯域（ＮＲ  Ｂａｎｄ  Ｎｘ）での送信をサポートする第一送信経路と、第二周波数帯域（ＮＲ  Ｂａｎｄ  Ｎｙ）での送信をサポートし且つＮＲ  Ｂａｎｄ  Ｎｘでの送信をサポートする第一送信経路と互いに結合される第二送信経路と、を含む。８つの受信回路は、ＮＲ  Ｂａｎｄ  Ｎｘでの信号処理をサポートする４つの受信回路と、ＮＲ  Ｂａｎｄ  Ｎｙでの信号処理をサポートする４つの受信回路と、を含む。
【００３３】
図４に示されたように、８つの受信回路は、第一受信回路３３１、第二受信回路３３２、第三受信回路３３３、第四受信回路３３４、第五受信回路３４１、第六受信回路３４２、第七受信回路３４３及び第八受信回路３４４を含む。第一受信回路３３１、第二受信回路３３２、第三受信回路３３３及び第四受信回路３３４は、ＮＲ  Ｂａｎｄ  Ｎｘでの信号処理をサポートする受信回路である。第五受信回路３４１、第六受信回路３４２、第七受信回路３４３及び第八受信回路３４４は、ＮＲ  Ｂａｎｄ  Ｎｙでの信号処理をサポートする受信回路である。
【００３４】
本発明の実施形態において、無線周波数トランシーバ３１は、無線周波数信号を送信及び受信するために用いられる。アップリンクでは、無線周波数トランシーバ３１は、ベースバンド信号を送信される無線周波数信号に変調するために用いられる。無線周波数信号は送信回路３２によって増幅、フィルタリングされてから特定の周波数帯域の電磁波信号に変換され、アンテナを介して送信される。ダウンリンクでは、アンテナは特定の周波数帯域の電磁波信号を受信し、電磁波信号を無線周波数信号に変換する。無線周波数信号は増幅及びフィルタリングされてから無線周波数トランシーバ３１に送信される。無線周波数トランシーバ３１は、受信された無線周波数信号をベースバンド信号に復調して、ベースバンドチップによって処理されるようにする。
【００３５】
本発明の実施形態において、送信回路３２は、ＮＲ  Ｂａｎｄ  Ｎｘでの送信をサポートする第一送信経路と、ＮＲ  Ｂａｎｄ  Ｎｙでの送信をサポートし且つＮＲ  Ｂａｎｄ  Ｎｘでの送信をサポートする第一送信経路と互いに結合される第二送信経路と、を含む。各受信回路は、１つの受信ポート及び１つの送信ポートを含む。
【００３６】
マルチウェイスイッチ１０は、１つの第一Ｔポート及び８つの第二Ｔポートを含む。図４に示されるように、第一Ｔポートは、送信回路３２の送信ポートに結合されるために用いられる。８つの第二Ｔポートは、８つの受信回路の受信ポートに１対１で対応して結合されるために用いられる。８つの第二Ｔポートにおいて、ＮＲ  Ｂａｎｄ  Ｎｘでの受信をサポートする４つのＴポートは、第一受信回路３３１の受信ポート、第二受信回路３３２の受信ポート、第三受信回路３３３の受信ポート、第四受信回路３３４の受信ポートに１対１で対応して結合される。８つの第二Ｔポートにおいて、ＮＲ  Ｂａｎｄ  Ｎｙでの受信をサポートする４つのＴポートは、第五受信回路３４１の受信ポート、第六受信回路３４２の受信ポート、第七受信回路３４３の受信ポート、第八受信回路３４４の受信ポートに１対１で対応して結合される。
【００３７】
無線周波数トランシーバ３１は、送信回路３２及び８つの受信回路３３１、３３２、３３３、３３４、３４１、３４２、３４３、３４４に適合されるように、少なくとも２つの送信ポート及び８つの受信ポートを含む。図４に示されたように、無線周波数トランシーバ３１は、２つの送信ポートである「ＴＸ＿Ｎｘ」ポート及び「ＴＸ＿Ｎｙ」ポートと、８つの受信ポートである「ＲＸ１＿Ｎｘ」ポート、「ＲＸ１＿Ｎｙ」ポート、「ＲＸ２＿Ｎｘ」ポート、「ＲＸ２＿Ｎｙ」ポート、「ＲＸ３＿Ｎｘ」ポート、「ＲＸ３＿Ｎｙ」ポート、「ＲＸ４＿Ｎｘ」ポート、「ＲＸ４＿Ｎｙ」ポートと、を含む。「ＴＸ＿Ｎｘ」ポートは、送信回路３２の２つの受信ポートのうちの１つの対応する受信ポートに結合され、「ＴＸ＿Ｎｙ」ポートは、送信回路３２の２つの受信ポートのうちの別の対応する受信ポートに結合される。「ＲＸ１＿Ｎｘ」ポートは第一受信回路３３１の送信ポートに結合され、「ＲＸ２＿Ｎｘ」ポートは第二受信回路３３２の送信ポートと結合され、「ＲＸ３＿Ｎｘ」ポートは第三受信回路３３３の送信ポートに結合され、「ＲＸ４＿Ｎｘ」ポートは第四受信回路３３４の送信ポートに結合される。「ＲＸ１＿Ｎｙ」ポートは第五受信回路３４１の送信ポートに結合され、「ＲＸ２＿Ｎｙ」ポートは第六受信回路３４２の送信ポートに結合され、「ＲＸ３＿Ｎｙ」ポートは第七受信回路の送信ポートに結合され、「ＲＸ４＿Ｎｙ」ポートは第八受信回路３４４の送信ポートに結合される。
【００３８】
送信回路の具体的な構造は図５に示されている。図５は、本発明の実施形態に係わる送信回路の構造を示す概略図である。図５に示されたように、送信回路３２は、ＮＲ  Ｂａｎｄ  Ｎｘで動作可能な第一電力増幅器３２０１、ＮＲ  Ｂａｎｄ  Ｎｙで動作可能な第二電力増幅器３２０２、ＮＲ  Ｂａｎｄ  Ｎｘを通過させる第一フィルタ３２０３、ＮＲ  Ｂａｎｄ  Ｎｙを通過させる第二フィルタ３２０４、カプラー３２０５及びセレクタースイッチ３２０６を含む。第一電力増幅器３２０１は、無線周波数トランシーバ３１の対応する第一送信ポートＴＸ＿Ｎｘに結合された入力ポートと、第一フィルタ３２０３の入力ポートに結合された出力ポートと、を含む。第二電力増幅器３２０２は、無線周波数トランシーバ３１の対応する第二送信ポートＴＸ＿Ｎｙに結合された入力ポートと、第二フィルタ３２０４の入力ポートに結合された出力ポートと、を含む。カプラー３２０５は、第一フィルター３２０３の出力ポートに結合された第一入力ポートと、第二フィルター３２０４の出力ポートに結合された第二入力ポートと、セレクタースイッチ３２０６の第一固定ポートに結合された第一出力ポートと、セレクタスイッチ３２０６の第二固定ポートに結合された第二出力ポートと、を含む。セレクタスイッチ３２０６は、マルチウェイスイッチ１０の第一Ｔポートに結合されるセレクタポートを含む。
【００３９】
第一電力増幅器３２０１及び第二電力増幅器３２０２は、無線周波数トランシーバ３１によって送信された無線周波数信号を増幅するために用いられる無線周波数電力増幅器である。第一電力増幅器３２０１は、第一周波数帯域の無線周波数信号を増幅することができ、第二電力増幅器３２０２は、第二周波数帯域の無線周波数信号を増幅することができる。
【００４０】
第一フィルタ３２０３及び第二フィルタ３２０４は、バンドパスフィルタであることができる。第一フィルタ３２０３は、第一電力増幅器３２０１によって増幅された無線周波数信号をフィルタリングし、第一周波数帯域の無線周波数信号のみを通過させることができる。第二フィルタ３２０４は、第二電力増幅器３２０２によって増幅された無線周波数信号をフィルタリングし、第二周波数帯域の無線周波数信号のみを通過させることができる。
【００４１】
カプラ３２０５は、２つの無線周波数信号（即ち、第一フィルタ３２０３の出力ポートから出力された無線周波数信号及び第二フィルタ３２０４の出力ポートから出力された無線周波数信号）を結合し、且つ結合された２つの無線周波数信号を出力するために用いられる。１つの実施形態において、カプラー３２０５はさらに電力分配機能を有し、入力信号電力を無線周波数トランシーバー３１の対応する受信ポートに分配することにより、無線周波数トランシーバー３１はそれが送信する無線周波数信号の電力を調整することができる。
【００４２】
セレクタスイッチ３２０６は、単極双投（ＳＰＤＴ）スイッチであることができる。セレクタスイッチ３２０６は、第一送信経路又は第二送信経路と電気的に通信することができる。第一送信経路は、第一電力増幅器３２０１及び第一フィルタ３２０３を含む。第二送信経路は、第二電力増幅器３２０２及び第二フィルタ３２０４を含む。
【００４３】
送信回路３２は、電子装置１００がアップリンク信号を送信している間のみ動作する。
【００４４】
図５に示された送信回路３２の具体的な構造は、１つの可能な例示に過ぎず、実際の需要に応じて回路の構成要素を削減又は追加することができる。
【００４５】
図６は、本発明の実施形態に係わる受信回路の構造を示す概略図である。図６に示されたように、受信回路は２つのタイプの回路を含む。ＮＲ  Ｂａｎｄ  Ｎｘの信号処理をサポートする受信回路は第一タイプの回路として定義され、ＮＲ  Ｂａｎｄ  Ｎｙの信号処理をサポートする受信回路は第二タイプの回路として定義される。ＮＲ  Ｂａｎｄ  Ｎｘの信号処理をサポートする受信回路は、図４に示された第一受信回路３３１を例として説明し、ＮＲ  Ｂａｎｄ  Ｎｙの信号処理をサポートする受信回路は、図４に示された第五受信回路３４１を例として説明する。第一受信回路３３１は、第一周波数帯域で動作可能な第一低雑音増幅器３３３１と、第一周波数帯域を通過させる第一フィルタ３３３２と、を含む。第一フィルタ３３３２は、第一周波数帯域での受信をサポートする４つの第二Ｔポートのうちの対応する１つのＴポートに結合された入力ポートと、第一低雑音増幅器３３３１の入力ポートに結合された出力ポートと、を含む。第一低雑音増幅器３３３１は、無線周波数トランシーバ３１の対応する受信ポートＲＸ１＿Ｎｘに結合された出力ポートを含み、受信ポートＲＸ１＿Ｎｘは第一周波数帯域での受信をサポートする。
【００４６】
第五受信回路３４１は、第二周波数帯域で動作可能な第二低雑音増幅器３３４１と、第二周波数帯域を通過させる第二フィルタ３３４２と、を含む。第二フィルタ３３４２は、第二周波数帯域での受信をサポートする４つの第二Ｔポートのうちの対応する１つのＴポートに結合された入力ポートと、第二低雑音増幅器３３４１の入力ポートに結合される出力ポートと、を含む。第二低雑音増幅器３３４１は、無線周波数トランシーバ３１の対応する受信ポートＲＸ１＿Ｎｙに結合された出力ポートを含み、受信ポートＲＸ１＿Ｎｙは第二周波数帯域での受信をサポートする。
【００４７】
本発明の実施形態において、第一フィルタ３３３２及び第二フィルタ３３４２は、バンドパスフィルタであることができる。第一フィルタ３３３２は、第一周波数帯域での受信をサポートする第二Ｔポートから受信された無線周波数信号をフィルタリングすることができる。第一フィルタ３３３２は、第一周波数帯域の無線周波数信号のみを通過させる。第二フィルタ３３４２は、第二周波数帯域での受信をサポートする第二Ｔポートから受信された無線周波数信号をフィルタリングすることができる。第二フィルタ３３４２は、第二周波数帯域の無線周波数信号のみを通過させる。
【００４８】
第一低雑音増幅器３３３１は、第一フィルタ３３３２を通過する無線周波数信号を増幅するために用いられ、第二低雑音増幅器３３４１は、第二フィルタ３３４２を通過する無線周波数信号を増幅するために用いられる。低雑音増幅器は、出力される無線周波数信号の信号対雑音比を高めることができる。
【００４９】
図６に示された第一受信回路３３１及び第五受信回路３４１の具体的な構造は、１つの可能な例示に過ぎず、実際の需要に応じて回路の構成要素を削減又は追加することができる。
【００５０】
第二受信回路３３２、第三受信回路３３３及び第四受信回路３３４は、第一受信回路３３１と同じ回路であることができる。第六受信回路３４２、第七受信回路３４３及び第八受信回路３４４は、第五受信回路３４１と同じ回路であることができる。
【００５１】
無線周波数回路３０の統合度を向上させるために、図４に示された無線周波数回路３０の送信回路３２及び８つの受信回路は１つの独立回路モジュールに統合されることができる。図７は、本発明の実施形態に係わる独立回路モジュールに統合された無線周波数回路の構造を示す概略図である。図７に示されたように、送信回路３２、第一受信回路３３１、第二受信回路３３２、第三受信回路３３３、第四受信回路３３４、第五受信回路３４１、第六受信回路３４２、第七受信回路３４３及び第八受信回路３４４は、１つの独立回路モジュール４１に統合される。独立回路モジュール４１は、無線周波数トランシーバ３１に結合された１０個のポート（即ち、図７に示されたポート４２０、４２１、４２２、４２３、４２４、４２５、４２６、４２７、４２８、４２９）及びマルチウェイスイッチ１０に結合された９つのポート（即ち、図７に示されたポート４１１、４１２、４１３、４１４、４１５、４１６、４１７、４１８、４１９）を含むことができる。ポート４２０、４２１は、独立回路モジュール４１の受信ポートである。ポート４２２、４２３、４２４、４２５、４２６、４２７、４２８、４２９は、独立回路モジュール４１の送信ポートである。ポート４１１は、独立回路モジュール４１の送信ポートであり、マルチウェイスイッチ１０の第一Ｔポートに結合されるために用いられる。ポート４１２、４１３、４１４、４１５、４１６、４１７、４１８、４１９は、独立回路モジュール４１の受信ポートであり、マルチウェイスイッチ１０の８つの第二Ｔポートに１対１で対応して結合されるために用いられる。図７に示されたように、独立回路モジュール４１のポートの数量は、独立回路モジュール４１に統合された全ての信号処理回路（即ち、送信回路３２、第一受信回路３３１、第二受信回路３３２、第三受信回路３３３、第四受信回路３３４、第五受信回路３４１、第六受信回路３４２、第七受信回路３４３、第八受信回路３４４）のポートの数量と等しく、且つ独立回路モジュール４１のポートと独立回路モジュール４１に統合された全ての信号処理回路のポートは対応して結合される。１つの実施形態において、ポート４２０、４２１は送信回路３２の２つの受信ポートに結合され、ポート４１１は送信回路３２の送信ポートに結合され、ポート４２２、４２３、４２４、４２５、４２６、 ４２７、４２８、４２９は、第一受信回路３３１の送信ポート、第二受信回路３３２の送信ポート、第三受信回路３３３の送信ポート、第四受信回路３３４の送信ポート、第五受信回路３４１の送信ポート、第六受信回路３４２の送信ポート、第七受信回路３４３の送信ポート、第八受信回路３４４の送信ポートに１対１で対応して結合される。
【００５２】
本発明の実施形態において、送信回路３２及び８つの受信回路を１つの独立回路モジュールに統合することにより、無線周波数回路の統合を向上させ、独立回路モジュールの数量を減少することができ、電子装置１００の空間利用率を改善し、従って適応の柔軟性を改善し、コストを削減する。
【００５３】
１つの実施態様において、図４に示された無線周波数回路３０の送信回路３２及び８つの受信回路は、２つの独立回路モジュールに統合されることができる。２つの独立回路モジュールは、第一独立回路モジュール及び第二独立回路モジュールを含む。第一独立回路モジュールは、少なくとも送信回路を含む。第二独立回路モジュールは、８つの受信回路のうちの少なくとも２つの受信回路を含む。
【００５４】
図８は、本発明の別の実施形態に係わる独立回路モジュールに統合された無線周波数回路の構造を示す概略図である。図８に示されるように、送信回路３２は第一独立回路モジュール５１に統合される。第一受信回路３３１、第二受信回路３３２、第三受信回路３３３、第四受信回路３３４、第五受信回路３４１、第六受信回路３４２、第七受信回路３４３及び第八受信回路３４４は、第二独立回路モジュール５２に統合される。第一独立回路モジュール５１は、２つの受信ポート（即ち、図８に示されたポート５１２、５１３である）及び１つの送信ポート（即ち、図８に示されたポート５１１である）を含む。ポート５１２、５１３は、無線周波数トランシーバ３１の対応する送信ポートに結合され、ポート５１１は、マルチウェイスイッチ１０の第一Ｔポートに結合される。第二独立回路モジュール５２は、８つの受信ポート（即ち、図８に示されたポート５２１、５２２、５２３、５２４、５２５、５２６、５２７、５２８である）及び８つの送信ポート（即ち、図８に示されたポート５３１、５３２、５３３、５３４、５３５、５３６、５３７、５３８である）を含む。ポート５２１、５２２、５２３、５２４、５２５、５２６、５２７、５２８は、マルチウェイスイッチ１０の８つの第二Ｔポートに１対１で対応して結合され、ポート５３１、５３２、５３３、５３４、５３５、５３６、５３７、５３８は、それぞれ無線周波数トランシーバ３１の８つの受信ポートのうちの１つの対応する受信ポートに結合される。すべての独立回路モジュールのすべてのポートは互いに接続されていないことに留意されたい。
【００５５】
図８に示されたように、第一独立回路モジュール５１のポートの数量は、第一独立回路モジュール５１に統合された送信回路３２のポートの数量と等しく、且つ第一独立回路モジュール５１のポートと第一独立回路モジュール５１に統合された送信回路３２のポートは対応して結合される。第二独立回路モジュール５２のポートの数量は、第二独立回路モジュール５２に統合された全ての信号処理回路（即ち、第一受信回路３３１、第二受信回路３３２、第三受信回路３３３、第四受信回路３３４、第五受信回路３４１、第六受信回路３４２、第七受信回路３４３及び第八受信回路３４４である）のポートの数量と等しく、且つ第二独立回路モジュール５２のポートと第二独立回路モジュール５２に統合された全ての信号処理回路のポートは対応して結合される。
【００５６】
図８に示された統合方式は、ただ１つの可能な実施形態にすぎないことに留意されたい。送信回路３２及び８つの受信回路が２つの独立回路モジュールに統合されることを前提として、「第一独立回路モジュールは少なくとも送信回路を含み、第二独立回路モジュールは８つの受信回路のうちの少なくとも２つの受信回路をを含む」という条件を満たすかぎり、他の統合方式を採用することができる。
【００５７】
本発明の実施形態において、送信回路３２及び８つの受信回路は、２つの独立回路モジュールに統合することにより、無線周波数回路の統合を向上させ、独立回路モジュールの数量を減少することができ、電子装置１００の空間利用率を改善し、従って適応の柔軟性を改善し、コストを削減する。
【００５８】
１つの実施態様において、図４に示された無線周波数回路３０の送信回路３２及び８つの受信回路は、３つの独立回路モジュールに統合されることができる。
【００５９】
３つの独立回路モジュールは、第一独立回路モジュール、第二独立回路モジュール及び第三独立回路モジュールを含む。第一独立回路モジュールは少なくとも送信回路を含み、第二独立回路モジュールは８つの受信回路のうちの少なくとも２つの受信回路を含み、第三独立回路モジュールは８つの受信回路のうちの少なくとも２つの受信回路を含む。
【００６０】
図９は、本発明のさらに別の実施形態に係わる独立回路モジュールに統合された無線周波数回路の構造を示す概略図である。図９に示されたように、送信回路３２は第一独立回路モジュール６１に統合される。第一受信回路３３１、第五受信回路３４１、第二受信回路３３２及び第六受信回路３４２は、第二独立回路モジュール６２に統合される。第三受信回路３３３、第七受信回路３４３、第四受信回路３３４及び第八受信回路３４４は、第三独立回路モジュール６３に統合される。第一独立回路モジュール６１は、２つの受信ポート（即ち、図９に示されたポート６１２、６１３である）及び１つの送信ポート（即ち、図９に示されるようなポート６１１である）を含む。ポート６１２、６１３は、無線周波数トランシーバ３１の対応する送信ポートに結合され、ポート６１１は、マルチウェイスイッチ１０の第一Ｔポートに結合される。第二独立回路モジュール６２は、４つの受信ポート（即ち、図９に示されたポート６２１、６２２、６２３、６２４である）及び４つの送信ポート（即ち、図９に示されたポート６２５、６２６、６２７、６２８である）を含む。ポート６２１、６２２、６２３、６２４は、マルチウェイスイッチ１０の４つの第二Ｔポートに１対１で対応して結合され、ポート６２５、６２６、６２７、６２８は、それぞれ無線周波数トランシーバ３１の対応する１つの受信ポートに結合される。第三独立回路モジュール６３は、４つの受信ポート（即ち、図９に示されがポート６３１、６３２、６３３、６３４である）及び４つの送信ポート（即ち、図９に示されるたポート６３５、６３６、６３７、６３８である）を含む。ポート６３１、６３２、６３３、６３４は、マルチウェイスイッチ１０の他の４つの第二Ｔポートに１対１で対応して結合され、ポート６３５、６３６、６３７、６３８は、それぞれ無線周波数トランシーバ３１の対応する１つの受信ポートに結合される。すべての独立回路モジュールのすべてのポートは互いに接続されていないことに留意されたい。
【００６１】
図９に示されたように、第一独立回路モジュール６１のポートの数量は、第一独立回路モジュール６１に統合された送信回路３２のポートの数量と等しく、且つ第一独立回路モジュール６１のポートと第一独立回路モジュール６１に統合された送信回路３２のポートは対応して結合される。第二独立回路モジュール６２のポートの数量は、第二独立回路モジュール６２に統合された全ての信号処理回路（即ち、第一受信回路３３１、第五受信回路３４１、第二受信回路３３２及び第六受信回路３４２である）のポートの数量と等しく、且つ第二独立回路モジュール６２のポートと第二独立回路モジュール６２に統合された全ての信号処理回路のポートは対応して結合される。第三独立回路モジュール６３のポートの数量は、第三独立回路モジュール６３に統合された全ての信号処理回路（即ち、第三受信回路３３３、第七受信回路３４３、第四受信回路３３４及び第八受信回路３４４である）のポートの数量と等しく、且つ第三独立回路モジュール６３のポートと第三独立回路モジュール６３に統合された全ての信号処理回路のポートは対応して結合される。
【００６２】
図９に示された統合方式は、ただ１つの可能な実施形態にすぎないことに留意されたい。送信回路３２及び８つの受信回路が３つの独立回路モジュールに統合されることを前提として、「第一独立回路モジュールは少なくとも送信回路３２を含み、第二独立回路モジュールは８つの受信回路のうちの少なくとも２つの受信回路をを含み、第三独立回路モジュールは８つの受信回路のうちの少なくとも２つの受信回路をを含む」という条件を満たすかぎり、他の統合方式を採用することができる。
【００６３】
本発明の実施形態において、送信回路３２及び８つの受信回路は、３つの独立回路モジュールに統合される。３つの独立回路モジュールにおいて、２つの独立回路モジュール（即ち、図１１に示された第二独立回路モジュール６２と第三独立回路モジュール６３である）は同じ回路構造を有し、独立回路モジュールの再利用性を向上させることができ、独立回路モジュールの大量生産が容易になり、適応の柔軟性を改善し、コストを削減する。
【００６４】
１つの実施態様において、図４に示された無線周波数回路３０の送信回路３２及び８つの受信回路は、４つの独立回路モジュールに統合されることができる。
【００６５】
４つの独立回路モジュールは、第一独立回路モジュール、第二独立回路モジュール、第三独立回路モジュール及び第四独立回路モジュールを含む。第一独立回路モジュールは少なくとも送信回路を含み、第二独立回路モジュールは８つの受信回路のうちの少なくとも２つの受信回路を含み、第三独立回路モジュールは８つの受信回路のうちの少なくとも２つの受信回路を含み、第四独立回路モジュールは８つの受信回路のうちの少なくとも２つの受信回路を含む。
【００６６】
図１０は、本発明のさらに別の実施形態に係わる独立回路モジュールに統合された無線周波数回路の構造を示す概略図である。図１０に示されたように、送信回路３２、第一受信回路３３１及び第五受信回路３４１は、第一独立回路モジュール７１に統合される。第二受信回路３３２及び第六受信回路３４２は、第二独立回路モジュール７２に統合される。第三受信回路３３３及び第七受信回路３４３は、第三独立回路モジュール７３に統合される。第四受信回路３３４及び第八受信回路３４４は、第四独立回路モジュール７４に統合される。第一独立回路モジュール７１は、４つの受信ポート（即ち、図１０に示されたポート７１２、７１３、７１４、７１５である）及び３つの送信ポート（即ち、図１０に示されるたポート７１１、７１６、７１７である）を含む。ポート７１４、７１５は、無線周波数トランシーバ３１の送信ポートに結合され、ポート７１１は、マルチウェイスイッチ１０の第一Ｔポートに結合され、ポート７１６、７１７は、無線周波数トランシーバ３１の受信ポートに結合され、ポート７１２、７１３は、マルチウェイスイッチ１０の８つの第二Ｔポートのうちの対応する２つの第二Ｔポートに結合される。第二独立回路モジュール７２は、２つの受信ポート（即ち、図１０に示されたポート７２１、７２２である）及び２つの送信ポート（即ち、図１０に示されたポート７２３、７２４である）を含む。ポート７２１、７２２は、マルチウェイスイッチ１０の８つの第二Ｔポートのうちの対応する２つの第二Ｔポートに１対１で対応して結合され、ポート７２３、７２４は、それぞれ無線周波数トランシーバ３１の受信ポートのうちの対応する１つのポートに結合される。第三独立回路モジュール７３は、２つの受信ポート（即ち、図１０に示されたポート７３１、７３２である）及び２つの送信ポート（即ち、図１０に示されたポート７３３、７３４である）を含む。ポート７３１、７３２は、マルチウェイスイッチ１０の８つの第二Ｔポートのうちの対応する２つの第二Ｔポートに１対１で対応して結合され、ポート７３３、７３４は、それぞれ無線周波数トランシーバ３１の受信ポートのうちの対応する１つのポートに結合される。第四独立回路モジュール７４は、２つの受信ポート（即ち、図１０に示されたポート７４１、７４２である）及び２つの送信ポート（即ち、図１０に示されたポート７４３、７４４である）を含む。ポート７４１、７４２は、マルチウェイスイッチ１０の８つの第二Ｔポートのうちの対応する２つの第二Ｔポートに１対１で対応して結合され、ポート７４３、７４４は、それぞれ無線周波数トランシーバ３１の受信ポートのうちの対応する１つのポートに結合される。すべての独立回路モジュールのすべてのポートは互いに接続されていないことに留意されたい。
【００６７】
図１０に示されたように、第一独立回路モジュール７１のポートの数量は、第一独立回路モジュール７１に統合された全ての信号処理回路（即ち、送信回路３２、第一受信回路３３１及び第五受信回路３４１である）のポートの数量と等しい。第一独立回路モジュール７１のポートと第一独立回路モジュール７１に統合された全ての信号処理回路のポートは対応して結合される。第二独立回路モジュール７２のポートの数量は、第二独立回路モジュール７２に統合された全ての信号処理回路（即ち、第二受信回路３３２及び第六受信回路３４２である）のポートの数量と等しい。第二独立回路モジュール７２のポートと第二独立回路モジュール７２に統合された全ての信号処理回路のポートは対応して結合される。第三独立回路モジュール７３のポートの数量は、第三独立回路モジュール７３に統合された全ての信号処理回路（即ち、第三受信回路３３３及び第七受信回路３４３である）のポートの数量と等しい。第三独立回路モジュール７３のポートと第三独立回路モジュール７３に統合された全ての信号処理回路のポートは対応して結合される。第四独立回路モジュール７４のポートの数量は、第四独立回路モジュール７４に統合された全ての信号処理回路（即ち、第四受信回路３３４及び第八受信回路３４４である）のポートの数量と等しい。第四独立回路モジュール７４のポートと第四独立回路モジュール７４に統合された全ての信号処理回路のポートは対応して結合される。
【００６８】
図１０に示された統合方式は、ただ１つの可能な実施形態にすぎないことに留意されたい。送信回路３２及び８つの受信回路が４つの独立回路モジュールに統合されることを前提として、「第一独立回路モジュールは少なくとも送信回路３２を含み、第二独立回路モジュールは８つの受信回路のうちの少なくとも２つの受信回路をを含み、第三独立回路モジュールは８つの受信回路のうちの少なくとも２つの受信回路をを含み、第四独立回路モジュールは８つの受信回路のうちの少なくとも２つの受信回路をを含む」という条件を満たすかぎり、他の統合方式を採用することができる。
【００６９】
本発明の実施形態において、送信回路３２及び８つの受信回路は、４つの独立回路モジュールに統合される。４つの独立回路モジュールにおいて、３つの独立回路モジュール（即ち、図１０に示された第二独立回路モジュール７２、第三独立回路モジュール７３及び第四独立回路モジュール７４である）は同じ回路構造を有し、独立回路モジュールの再利用性を向上させることができ、独立回路モジュールの大量生産が容易になり、適応の柔軟性を改善し、コストを削減する。
【００７０】
１つの実施態様において、図４に示された無線周波数回路３０の送信回路３２及び８つの受信回路は、５つの独立回路モジュールに統合されることができる。
【００７１】
５つの独立回路モジュールは、第一独立回路モジュール、第二独立回路モジュール、第三独立回路モジュール、第四独立回路モジュール及び第五独立回路モジュールを含む。第一独立回路モジュールは送信回路３２を含み、第二独立回路モジュール、第三独立回路モジュール、第四独立回路モジュール及び第五独立回路モジュールは、別々に８つの受信回路のうちの２つの受信回路を含む。
【００７２】
図１１は、本発明のさらに別の実施形態に係わる独立回路モジュールに統合された無線周波数回路の構造を示す概略図である。図１１に示されたように、送信回路３２は、第一独立回路モジュール８１に統合される。第一受信回路３３１及び第五受信回路３４１は、第二独立回路モジュール８２に統合される。第二受信回路３３２及び第六受信回路３４２は、第三独立回路モジュール８３に統合される。第三受信回路３３３第七受信回路３４３は、第四独立回路モジュール８４に統合される。第四受信回路３３４及び第八受信回路３４４は、第五独立回路モジュール８５に統合される。第一独立回路モジュール８１は、２つの受信ポート（即ち、図１１に示されたポート８１２、８１３である）及び１つの送信ポート（即ち、図１１に示されたポート８１１である）を含む。ポート８１２、８１３は無線周波数トランシーバ３１の送信ポートと結合され、ポート８１１はマルチウェイスイッチ１０の第一Ｔポートと結合される。第二独立回路モジュール８２は、２つの受信ポート（即ち、図１１に示されたポート８２１、８２２である）及び２つの送信ポート（即ち、図１１に示されたポート８２３、８２４である）を含む。ポート８２１、８２２は、マルチウェイスイッチ１０の８つの第二Ｔポートのうちの対応する２つの第二Ｔポートに１対１で対応して結合され、ポート８２３、８２４は、それぞれ無線周波数トランシーバ３１の受信ポートのうちの対応する１つのポートに結合される。第三独立回路モジュール８３は、２つの受信ポート（即ち、図１１に示されたポート８３１、８３２である）及び２つの送信ポート（即ち、図１１に示されたポート８３３、８３４である）を含む。ポート８３１、８３２は、マルチウェイスイッチ１０の８つの第二Ｔポートのうちの対応する２つの第二Ｔポートに１対１で対応して結合され、ポート８３３、８３４は、それぞれ無線周波数トランシーバ３１の受信ポートのうちの対応する１つのポートに結合される。第四独立回路モジュール８４は、２つの受信ポート（即ち、図１１に示されたポート８４１、８４２である）及び２つの送信ポート（即ち、図１１に示されたポート８４３、８４４である）を含む。ポート８４１、８４２は、マルチウェイスイッチ１０の８つの第二Ｔポートのうちの対応する２つの第二Ｔポートに１対１で対応して結合され、ポート８４３、８４４は、それぞれ無線周波数トランシーバ３１の受信ポートのうちの対応する１つのポートに結合される。第五独立回路モジュール８５は、２つの受信ポート（即ち、図１１に示されたポート８５１、８５２である）及び２つの送信ポート（即ち、図１１に示されたポート８５３、８５４である）を含む。ポート８５１、８５２は、マルチウェイスイッチ１０の８つの第二Ｔポートのうちの対応する２つの第二Ｔポートに１対１で対応して結合され、ポート８５３、８５４は、それぞれ無線周波数トランシーバ３１の受信ポートのうちの対応する１つのポートに結合される。すべての独立回路モジュールのすべてのポートは互いに接続されていないことに留意されたい。
【００７３】
図１１に示されたように、第一独立回路モジュール８１のポートの数量は、第一独立回路モジュール８１に統合された全ての信号処理回路（即ち、送信回路３２である）のポートの数量と等しく、且つ第一独立回路モジュール８１のポートと第一独立回路モジュール８１に統合された全ての信号処理回路のポートは対応して結合される。第二独立回路モジュール８２のポートの数量は、第二独立回路モジュール８２に統合された全ての信号処理回路（即ち、第一受信回路３３１及び第五受信回路３４１である）のポートの数量と等しく、且つ第二独立回路モジュール８２のポートと第二独立回路モジュール８２に統合された全ての信号処理回路のポートは対応して結合される。第三独立回路モジュール８３のポートの数量は、第三独立回路モジュール８３に統合された全ての信号処理回路（即ち、第二受信回路３３２及び第六受信回路３４２である）のポートの数量と等しく、且つ第三独立回路モジュール８３のポートと第三独立回路モジュール８３に統合された全ての信号処理回路のポートは対応して結合される。第四独立回路モジュール８４のポートの数量は、第四独立回路モジュール８４に統合された全ての信号処理回路（即ち、第三受信回路３３３第七受信回路３４３である）のポートの数量と等しく、且つ第四独立回路モジュール８４のポートと第四独立回路モジュール８４に統合された全ての信号処理回路のポートは対応して結合される。第五独立回路モジュール８５のポートの数量は、第五独立回路モジュール８５に統合された全ての信号処理回路（即ち、第四受信回路３３４及び第八受信回路３４４である）のポートの数量と等しく、且つ第五独立回路モジュール８５のポートと第五独立回路モジュール８５に統合された全ての信号処理回路のポートは対応して結合される。
【００７４】
本発明の実施形態において、送信回路３２及び８つの受信回路は、５つの独立回路モジュールに統合される。５つの独立回路モジュールにおいて、４つの独立回路モジュール（即ち、図１１に示された第二独立回路モジュール８２、第三独立回路モジュール８３、第四独立回路モジュール８４及び第五独立回路モジュール８５である）は同じ回路構造を有し、独立回路モジュールの再利用性を向上させることができ、独立回路モジュールの大量生産が容易になり、適応の柔軟性を改善し、コストを削減する。
【００７５】
１つの可能な実施形態において、４つのアンテナは、第一アンテナ、第二アンテナ、第三アンテナ及び第四アンテナを含む。これらの４つのアンテナは、すべて第五世代の新しいラジオ（５Ｇ ＮＲ）周波数帯域で使用することができる。
【００７６】
５Ｇ ＮＲ周波数帯域は、例えば、３．３ＧＨｚ〜３．８ＧＨｚ、４．４ＧＨｚ〜５ＧＨｚを含むことができる。
【００７７】
１つの可能な実施形態において、４つのアンテナは、第一アンテナ、第二アンテナ、第三アンテナ及び第四アンテナを含む。第一アンテナと第四アンテナは、長期進化（Ｌｏｎｇ Ｔｅｒｍ Ｅｖｏｌｕｔｉｏｎ，ＬＴＥ）周波数帯域と第五世代の新しいラジオ（５Ｇ ＮＲ）周波数帯域をサポートするアンテナである。第二アンテナ及び第三アンテナは、５Ｇ ＮＲ周波数帯域のみをサポートするアンテナである。
【００７８】
第一アンテナ及び第四アンテナは、端末上のＬＴＥの一部の周波数帯域でＤＬ ４×４ ＭＩＭＯをサポートすることを目的とする。この２つのアンテナは５Ｇ ＮＲと共有される（以下、「共有アンテナ」と呼ぶ）。ＬＴＥ周波数帯域は、例えば、１８８０ＭＨｚ〜１９２０ＭＨｚ、２４９６ＭＨｚ〜２６９０ＭＨｚを含むことができる。
【００７９】
１つの可能な実施形態において、図１２に示されたように、アンテナシステム２０は、第一コンバイナ及び第二コンバイナをさらに含む。第一コンバイナは、第一アンテナに結合するために用いられる第一ポートと、電子装置のＬＴＥ ４×４ ＭＩＭＯの第一受信経路に結合するために用いられる第二ポートと、マルチウェイスイッチの対応するＰポートに結合するために用いられる第三ポートと、を含む。第二コンバイナは、第四アンテナに結合するために用いられる第一ポートと、電子装置のＬＴＥ ４×４ ＭＩＭＯの第二受信経路に結合するために用いられる第二ポートと、マルチウェイスイッチの対応するＰポートに結合するために用いられる第三ポートと、を含む。
【００８０】
ＬＴＥ ４×４ ＭＩＭＯはダウンリンクＬＴＥ受信回路であり、第三受信経路として定義することができる。ＬＴＥには、現在２つの受信経路があるので、ＬＴＥ ４×４ ＭＩＭＯをサポートするために、第三受信経路と第四受信経路が追加される。
【００８１】
電子装置は、４つのアンテナの性能に応じて、回路のＰＲＸ（プライマリレシーバー（ｐｒｉｍａｒｙ ｒｅｃｅｉｖｅｒ））に良い性能を有するアンテナを配置し、アンテナはスタンバイ状態になる。送信機能と受信機能の両方を備えるスイッチの第一ＴポートをＴＸ（送信）とＰＲＸとして使用することができ、アンテナを任意に切り替えることができ、共有アンテナのポート間の結合を制限することを必要としない。
【００８２】
１つの可能な実施形態において、図１３に示されたように、アンテナシステム２０は、第一単極双投（ＳＰＤＴ）スイッチ及び第二ＳＰＤＴスイッチをさらに含む。第一ＳＰＤＴスイッチは、第一アンテナに結合するために用いられる第一ポートと、電子装置のＬＴＥ ４×４ ＭＩＭＯの第一受信経路に結合するために用いられる第二ポートと、マルチウェイスイッチの対応するＰポートに結合するために用いられる第三ポートと、を含む。第二ＳＰＤＴスイッチは、第四アンテナに結合するために用いられる第一ポートと、電子装置のＬＴＥ ４×４ ＭＩＭＯの第二受信経路に結合するために用いられる第二ポートと、マルチウェイスイッチの対応するＰポートに結合するために用いられる第三ポートと、を含む。
【００８３】
上述した実施形態によって提供されるマルチウェイスイッチの技術特徴の一部又は全部は、無線周波数システムに使用するか又は組み込むことができることに留意されたい。無線周波数システムはアンテナシステム及び無線周波数回路をさらに含むことができ、マルチウェイスイッチは無線周波数回路及びアンテナシステムに結合されることができる。
【００８４】
図１４は、本発明の実施形態に係わる無線周波数システムの構造を示す概略図である。無線周波数システムは、アンテナシステム２０、無線周波数回路３０及び上記の任意の実施形態に係わるマルチウェイスイッチ１０を含む。
【００８５】
マルチウェイスイッチ１０は、無線周波数回路３０及びアンテナシステム２０に結合されて、電子装置１００のプリセット機能を実現するために用いられる。プリセット機能は、４つのＰポートに対応する４つのアンテナによってＳＲＳを順番に送信する機能である。
【００８６】
図１５は、本発明の実施形態に係わる電子装置の構造を示す概略図である。電子装置１００は、アンテナシステム２０、無線周波数回路３０及び上記の任意の実施形態に係わるマルチウェイスイッチを含む。
【００８７】
マルチウェイスイッチ１０は、無線周波数回路３０及びアンテナシステム２０に結合されて、電子装置１００のプリセット機能を実現するために用いられる。プリセット機能は、４つのＰポートに対応する４つのアンテナによってＳＲＳを順番に送信する機能である。
【００８８】
さらに、図１６に示されるように、本発明の実施形態で説明されるアンテナシステム２０の４つのアンテナは、電子装置の無線充電受信機（ｗｉｒｅｌｅｓｓ ｃｈａｒｇｉｎｇ ｒｅｃｅｉｖｅｒ）によって再利用することもできる。無線充電受信機は、受信アンテナ及び受信制御回路を含む。受信アンテナは、無線充電送信機（ｗｉｒｅｌｅｓｓ ｃｈａｒｇｉｎｇ ｔｒａｎｓｍｉｔｔｅｒ）の送信アンテナと一致する（周波数が同じ又は類似している場合に共振し、放射性共振磁気結合方式でエネルギーを無線伝送方式で伝送する）。受信制御回路は、ループアレイアンテナによってエネルギーを直流（ＤＣ）に変換してから出力して、バッテリーを充電する。受信制御回路は、ループアレイアンテナの周波数を動的に調整することにより、ループアレイアンテナの周波数を無線充電送信機の送信アンテナの周波数と一致させて、ペアリングされた充電を達成することができる。あるいは、受信制御回路は、リアルタイムで無線充電送信機と周波数変更範囲について対話して、「排他的な暗号化」無線充電モードを実現することができる。
【００８９】
受信アンテナは、４つのアンテナのうちの少なくとも１つのアンテナからなるアンテナであることができる（複数のアンテナの場合、複数のアンテナはスイッチによってストローブされる）。
【００９０】
例えば、図１７に示されたように、受信アンテナは、上述した４つのアンテナを含むループアレイアンテナである。４つのアンテナは、アンテナ１、アンテナ２、アンテナ３及びアンテナ４を含む。アンテナ１及びアンテナ４は、ＬＴＥ周波数帯域と５Ｇ ＮＲ周波数帯域の両方で動作可能であるが、アンテナ２及びアンテナ３は、５Ｇ ＮＲ周波数帯域のみで動作可能である。アンテナ１のポートとアンテナ４のポートは、ループアレイアンテナのポートとして使用される。隣接するアンテナの間は、絶縁機能を有するゲート回路１７０によって結合される。ゲート回路１７０は、スペーサー１７１及びスイッチ１７２を含み、スペーサー１７１は導体であり、スイッチ１７２はさらにコントローラーに結合される。電子装置は、無線充電モードで各ゲート回路１７０のスイッチ１７２を導通させて、エネルギーを受信するループアレイアンテナを形成することができる。アンテナの間にスペーサ１７１を追加することにより、ゲート回路１７０は、通常の通信モードにおける電子装置の複数のアンテナの間の相互結合を低減し、複数のアンテナ間の分離を改善し、アンテナの性能を最適化する一方、スイッチ１７１によって複数のアンテナを直列に結合してループアレイアンテナを形成することにより、送信アンテナとの一致性を高めてエネルギーを伝送することができる。アンテナ１及びアンテナ４の能力はアンテナ２及びアンテナ３の能力よりも強いので、このように配置されたループアレイアンテナは、エネルギー伝送損失を極力低減することができる。具体的には、図１７に示されたように、アンテナ１とアンテナ４は隣接しないように配置される。アンテナ１とアンテナ４を隣接して配置する場合と比較して、アンテナ１とアンテナ４を隣接しないように配置する場合、以下の利点がある。アンテナ１とアンテナ４を隣接して配置すると、アンテナ１とアンテナ４の両方がＬＴＥ周波数帯域と５Ｇ ＮＲ周波数帯域の両方で動作可能であるので、アンテナ１とアンテナ４の間の周波数のオーバーラップが大きくなり、従ってアンテナ１とアンテナ４の間の相互結合が増加し、アンテナ１のインピーダンスとアンテナ４のインピーダンスを一致させることがさらに困難になり、送信過程のエネルギー損失が増加する。また、アンテナ１とアンテナ４を隣接して配置する場合の影響は、アンテナ２とアンテナ３を隣接して配置する場合の影響より大きく、アンテナ１とアンテナ４を隣接しないように配置する場合の利点は、アンテナ２とアンテナ３を隣接しないように配置する場合の利点より大きい。そのため、図１７に示されたように配置すると、アンテナ１及びアンテナ４はアンテナ２及びアンテナ３よりさらに強い能力（エネルギー伝送効率）を有し、伝送性能を向上させる。
【図１】
2021506171.tif 000003
【図２】
2021506171.tif 000004
【図３Ａ】
2021506171.tif 000005
【図３Ｂ】
2021506171.tif 000006
【図４】
2021506171.tif 000007
【図５】
2021506171.tif 000008
【図６】
2021506171.tif 000009
【図７】
2021506171.tif 000010
【図８】
2021506171.tif 000011
【図９】
2021506171.tif 000012
【図１０】
2021506171.tif 000013
【図１１】
2021506171.tif 000014
【図１２】
2021506171.tif 000015
【図１３】
2021506171.tif 000016
【図１４】
2021506171.tif 000017
【図１５】
2021506171.tif 000018
【図１６】
2021506171.tif 000019
【図１７】
2021506171.tif 000020
【手続補正書】
【提出日】令和2年6月8日(2020.6.8)
【手続補正１】
【補正対象書類名】明細書
【補正対象項目名】００２４
【補正方法】変更
【補正の内容】
【００２４】
本発明の実施形態に係わるマルチウェイスイッチによって、電子装置１００は二重周波数単一送信モードで動作可能である。５ＧＮＲで４ポートＳＲＳスイッチングをサポートする電子装置１００のＲＦアーキテクチャを簡素化することに有利であり、送信経路と受信経路のスイッチの数を減らし、経路損失を減らすことにより、送信電力/感度を向上させ、５ＧＮＲのデータ伝送速度を改善し、携帯電話のアップリンク及びダウンリンクのカバレッジを改善し、消費電力を削減する。
【手続補正２】
【補正対象書類名】明細書
【補正対象項目名】００３２
【補正方法】変更
【補正の内容】
【００３２】
図４は、本発明の実施形態に係わる無線周波数回路の構造を示す概略図である。図４に示されたように、無線周波数回路３０は、無線周波数トランシーバ３１と、送信回路３２（信号を送信及び/又は処理するために用いられる回路であると理解することができる）と、８つの受信回路（信号を受信及び/又は処理するために用いられる回路であると理解することができる）と、を含む。本発明において、「信号を送信及び/又は処理する」は、「信号を送信又は処理する」又は「信号を送信及び処理する」を意味し、「信号を受信及び/又は処理する」は、「信号を受信又は処理する」又は「信号を受信及び処理する」を意味することに留意されたい。送信回路３２は、第一周波数帯域（ＮＲ  Ｂａｎｄ  Ｎｘ）での送信をサポートする第一送信経路と、第二周波数帯域（ＮＲ  Ｂａｎｄ  Ｎｙ）での送信をサポートし且つＮＲ  Ｂａｎｄ  Ｎｘでの送信をサポートする第一送信経路と互いに結合される第二送信経路と、を含む。８つの受信回路は、ＮＲ  Ｂａｎｄ  Ｎｘでの信号処理をサポートする４つの受信回路と、ＮＲ  Ｂａｎｄ  Ｎｙでの信号処理をサポートする４つの受信回路と、を含む。
【手続補正３】
【補正対象書類名】明細書
【補正対象項目名】００３５
【補正方法】変更
【補正の内容】
【００３５】
本発明の実施形態において、送信回路３２は、ＮＲ  Ｂａｎｄ  Ｎｘでの送信をサポートする第一送信経路と、ＮＲ  Ｂａｎｄ  Ｎｙでの送信をサポートし且つＮＲ  Ｂａｎｄ  Ｎｘでの送信をサポートする第一送信経路と互いに結合される第二送信経路と、を含む。送信回路３２は、２つの受信ポート及び１つの送信ポートを含む。各受信回路は、１つの受信ポート及び１つの送信ポートを含む。
【手続補正４】
【補正対象書類名】明細書
【補正対象項目名】００６３
【補正方法】変更
【補正の内容】
【００６３】
本発明の実施形態において、送信回路３２及び８つの受信回路は、３つの独立回路モジュールに統合される。３つの独立回路モジュールにおいて、２つの独立回路モジュール（即ち、図９に示された第二独立回路モジュール６２と第三独立回路モジュール６３である）は同じ回路構造を有し、独立回路モジュールの再利用性を向上させることができ、独立回路モジュールの大量生産が容易になり、適応の柔軟性を改善し、コストを削減する。
【国際調査報告】
2021506171.tif 000021
2021506171.tif 000022
2021506171.tif 000023